(57)【要約】通信システム（１００）は、パケット交換網（１１０）と回線交換網（１２０）との間の音声通話のアクティブ・ハンドオフを提供する。パケット交換網から回線交換網へのアクティブ・ハンドオフは、ハンドオフ中に両方のネットワークの上りリンクで通話をマルチキャスティングすることにより遂行される。回線交換網からパケット交換網へのアクティブ・ハンドオフは、ハンドオフ中に両方のネットワークの下りリンクで通話をマルチキャスティングすることにより遂行される、前者のハンドオフは、同じパケットデータ制御スイッチ（１１８）を通じて各ネットワークの通話をルーティングすることによりさらに容易にされ得る。後者のハンドオフは、同じ移動交換局（１２６）を通じて各ネットワークの通話をルーティングすることによりさらに容易にされ得る。さらに、両方のネットワーク中で同時に動作する加入者ユニット（１０２）は、複数の送受信機を備えてもよいし、またはネットワーク間で迅速に切り替えられる一つの送受信機を備えてもよい。
2008521296.tif 000002
【特許請求の範囲】
【請求項１】
パケットデータ制御スイッチを有するパケット交換網から回線交換網へ音声通話をハンドオフする方法であって、
パケット交換網で、加入者ユニットに上りリンク音声トラフィックを伝送すると共に加入者ユニットから下りリンク音声トラフィックを受け取ること、
パケット交換網が、回線交換網へ通話をハンドオフする通知を受け取ること、
ハンドオフ通知の受け取りに応じて、パケット交換網でならびにパケットデータ制御スイッチと回線交換網で加入者ユニットに上りリンク音声トラフィックを伝送すると同時に、パケット交換網のみで下りリンク音声トラフィックを受け取ることと、
パケット交換網および回線交換網の各々で加入者ユニットに上りリンク音声トラフィックを伝送しているときに、下りリンク音声トラフィックの受け取りのためにパケット交換網からパケットデータ制御スイッチと回線交換網へ切り換えること、および
下りリンク音声トラフィックの受け取りのためのパケット交換網から回線交換網への切り換えに応じて、パケットデータ制御スイッチとパケット交換網で加入者ユニットに上りリンク音声トラフィックを伝送するのを停止しつつパケットデータ制御スイッチと回線交換網で加入者ユニットに上りリンク音声トラフィックを伝送するのを続けること、を含む方法。
【請求項２】
パケット交換網と回線交換網の両方で加入者ユニットに上りリンク音声トラフィックを伝送することは、パケットデータ制御スイッチが、パケット交換網と回線交換網の両方で加入者ユニットに上りリンク音声トラフィックを伝送することを含む請求項１に記載の方法。
【請求項３】
前記パケット交換網から回線交換網へ通話をハンドオフする通知を受け取ることは、パケットデータ制御スイッチが、回線交換網をハンドオフの目標として識別するメッセージを加入者ユニットから受け取ることを含み、前記パケット交換網と回線回路網の両方で加入者ユニットに上りリンク音声トラフィックを伝送することは、パケットデータ制御スイッチが、前記回線交換網を識別するメッセージに基づいて、パケットデータ交換網と回線交換網の両方で加入者ユニットに上りリンク音声トラフィックを伝送することを含む請求項２に記載の方法。
【請求項４】
前記パケット交換網から回線交換網へ通話をハンドオフする通知は、回線交換網をハンドオフの目標として識別し、前記パケット交換網と回線交換網の両方で加入者ユニットに上りリンク音声トラフィックを伝送することは、
パケット交換網が、加入者ユニットのハンドオフが必要であることを回線交換網に通知すること、および
前記回線交換網への通知に応じて、回線交換網と加入者ユニットとの間のベアラ・パスを確立し、前記確立されたベアラ・パスで加入者ユニットに上りリンク音声トラフィックを伝送すること、を含む請求項１に記載の方法。
【請求項５】
前記パケット交換網から回線交換網への下りリンク音声トラフィックの受け取りの切り換えは、
ハンドオフが進行していることを加入者ユニットへ通知すること、および
前記ハンドオフが進行していることの加入者ユニットへの通知に応じて、パケットデータ制御スイッチとパケット交換網からパケットデータ制御スイッチと回線交換網へ下りリンク音声トラフィックの受け取りを切り換えることを含む請求項１に記載の方法。
【請求項６】
回線交換網が、ハンドオフが完了しているという通知を加入者ユニットから受け取ること、および
パケット交換網の回線交換網が、加入者ユニットがハンドオフを完了したことを通知すること、をさらに含む請求項５に記載の方法。
【請求項７】
加入者ユニットの通話と関連して、パケット交換網で上りリンク音声トラフィックをルーティングし、下りリンク音声トラフィックを受け取り、
パケット交換網から回線交換網へ通話をハンドオフする通知を受け取り、
前記ハンドオフ通知の受け取りに応じて、パケット交換網および回線交換網の両方で上りリンク音声トラフィックを加入者ユニットへルーティングすると同時に、パケット交換網のみで下りリンク音声トラフィックを受け取り、
前記パケット交換網と回線交換網の各々で加入者ユニットに上りリンク音声トラフィックを伝送しているときに、パケット交換網から回線交換網へ下りリンク音声トラフィックの受け取りを切り換え、
前記パケット交換網から回線交換網への下りリンク音声トラフィックの受け取りの切り替えに応じて、パケット交換網で加入者ユニットに上りリンク音声トラフィックをルーティングするのを停止しつつ回線交換網で加入者ユニットに上りリンク音声トラフィックをルーティングし続ける、
ように構成されたプロセッサを有するパケットデータ制御スイッチ。
【請求項８】
前記通話がハンドオフされるべきであるという通知は、回線交換網をハンドオフの目標として識別し、前記通知の受け取りに応じて、プロセッサは加入者ユニットのハンドオフが必要であることを回線交換網に通知する請求項７に記載のパケットデータ制御スイッチ。
【請求項９】
前記プロセッサは、ハンドオフが進行していることを加入者ユニットに通知することにより下りリンクフレームの受け取りをパケット交換網から回線交換網へ切り替え、前記ハンドオフが進行していることの加入者ユニットへの通知に応じて、パケット交換網の代わりに回線交換網で加入者ユニットから下りリンク音声トラフィックを受け取る請求項７に記載のパケットデータ制御スイッチ。
【請求項１０】
前記プロセッサは、ハンドオフが完了しているという通知を加入者ユニットから受け取ることにより、パケット交換網で加入者ユニットへ上りリンク音声トラフィックを伝送するのを停止し、前記ハンドオフが完了したという通知の受け取りに応じて、パケット交換網で加入者ユニットにへりリンク音声トラフィックを伝送するのを停止する請求項９に記載のパケットデータ制御スイッチ。
【請求項１１】
回線交換網からパケット交換網へ音声通話をネットワーク間でハンドオフする方法であって、
回線交換網で、加入者ユニットに上りリンク音声トラフィックを伝送すると共に加入者ユニットから下りリンク音声トラフィックを受け取ること、
回線交換網が、通話のハンドオフを決定すること、
回線交換網が、ハンドオフが必要であることをパケット交換網に通知すること、
ハンドオフの通知の受け取りに応じて、加入者ユニットのパケット交換網が、ハンドオフを行ないたいという要求を伝送し、パケット交換網と加入者ユニットとの間の通信セッションを確立すること、
回線交換網およびパケット交換網で加入者ユニットから下りリンク音声トラフィックを受け取ると同時に、回線交換網のみで加入者ユニットに上りリンク音声トラフィックを伝送すること、
パケット交換網および回線交換網で下りリンク音声トラフィックを受け取るときに、加入者ユニットに上りリンク音声トラフィックを伝送するために、回線交換網からパケット交換網へ切り換えること、および
パケット交換網から回線交換網への上りリンク音声トラフィックの切り換えに応じて、回線交換網で下りリンク音声トラフィックを受け取るのを停止しつつパケット交換網で下りリンク音声トラフィックを受け取り続けること、
を含む方法。
【請求項１２】
パケット交換網と加入者ユニットとの間のベアラ・パスを確立し、
前記パケット交換網と加入者ユニットとの間のベアラ・パスの確立に応じて、パケット交換網が回線交換網にハンドオフ通知を伝送すること、
をさらに含み、
加入者ユニットへの上りリンク音声トラフィックの伝送は、パケット交換網による回線交換網への回線交換網へのハンドオフ通知の伝送に応じて回線回路網からパケット交換網に切り替えられる請求項１１に記載の方法。
【請求項１３】
回線交換網は移動交換局を備え、前記加入者ユニットへ上りリンク音声トラフィックを伝送するための回線交換網からパケット交換網への切り換えは、上りリンク音声トラフィックを伝送するための移動交換局および回線交換網から移動交換局およびパケット交換網への切り換えを含む請求項１２に記載の方法。
【請求項１４】
前記回線交換網での下りリンク音声トラフィックの受け取りの停止は、回線交換網が、回線交換網への下りリンク音声トラフィックの伝送を停止するように加入者ユニットに命令することと、前記命令の伝送に応じて回線交換網が下りリンク音声トラフィックの受け取りを停止することとを含み、前記方法はさらに、
パケット交換網が、ハンドオフしたいという要求がうまく実行されたという通知を加入者ユニットから受け取ること、
ハンドオフしたいという要求がうまく実行されたという通知に応じて、パケット交換網が加入者ユニットとの音声トラフィックの双方向のやりとりに従事していることをパケット交換網が回線交換網に通知すること、および
パケット交換網加入者ユニットとの音声トラフィックの双方向のやりとりに従事しているとの通知に応じて、回線交換網での通話を終了すること、をさらに含む請求項１１に記載の方法。
【請求項１５】
回線交換網からパケット交換網への音声通話のネットワーク間ハンドオフを提供する通信システムであって、
第１の上りリンクで加入者に上りリンク音声トラフィックを送信し、第１の下りリンクで加入者ユニットから下りリンク音声トラフィックを受け取り、通話のハンドオフを決定する基地局、
基地局と通信する移動交換局であって、基地局に上りリンク音声トラフィックを送信し、基地局から下りリンク音声トラフィックを受信し、前記通話のハンドオフ決定に応じて、ハンドオフが必要であるという通知を伝送する移動交換局、および
移動交換局からハンドオフ通知を受け取り、前記ハンドオフ通知の受け取りに応じて加入者ユニットにハンドオフを行なうよう要求するパケットデータ制御スイッチ、
パケットデータ制御スイッチと通信するアクセスネットワークであって、前記ハンドオフを行なうようとの要求に応じて、加入者ユニットとの第２の上りリンクおよび第２の下りリンクを確立するアクセスネットワーク、を備え、
前記加入者ユニットとの第２の上りリンクおよび第２の下りリンクの確立に応じて、基地局およびアクセスネットワークの各々は加入者ユニットから下りリンク音声トラフィックを受け取ると共に、基地局だけが加入者ユニットに上りリンク音声トラフィックを伝送し、基地局およびアクセスネットワークの各々が加入者ユニットから下りリンク音声トラフィックを受け取り始めた後に加入者ユニットへの上りリンク音声トラフィックの伝送が基地局および第１の上りリンクからアクセスネットワークおよび第２のリンクに切り換えられ、基地局および第１の上りリンクからのアクセスネットワークおよび第２の上りリンクへの上りリンク音声トラフィックの伝送の切り換えに応じて、基地局は下りリンク音声トラフィックの受け取りを停止しつつアクセスネットワークは下りリンク音声トラフィックの受け取りを続けるシステム。
【請求項１６】
前記加入者ユニットとの第２の上りリンクおよび第２の下りリンクの確立に応じて、パケットデータ制御スイッチが移動交換局へハンドオフの通知を伝送し、パケットデータ制御スイッチからのハンドオフ通知の受け取りに応じて、移動交換局が上りリンク音声トラフィックを基地局および第１の上りリンクからアクセスネットワークおよび第２の上りリンクへと切り換える請求項１５に記載のシステム。
【請求項１７】
パケットデータ制御スイッチを有するパケット交換網から回線交換網へ音声通話をハンドオフする方法であって、
パケット交換網で音声トラフィックを通信すること、
パケット交換網が、回線交換網を通話をハンドオフすべきネットワークであると識別する通話ハンドオフ通知を受け取ること、および、
ハンドオフ通知の受け取りに応じて、回線交換網での通信を確立し、パケット交換網での通信を終了すること、を含む方法。
【請求項１８】
パケットデータ制御スイッチを有するパケット交換網から回線交換網へ音声通話をハンドオフする方法であって、
パケット交換網で音声トラフィックを通信すること、
加入者ユニットが、通話のハンドオフを決定すること、
回線交換網を通話をハンドオフすべきネットワークであると識別する通話ハンドオフ通知を伝送すること、および
ハンドオフ通知の伝送に応じて、回線交換網での通信を確立し、パケット交換網での通信を終了すること、を含む方法。
【請求項１９】
第１の無線周波数（ＲＦ）技術に関連するネットワークおよび第２のＲＦ技術に関連するネットワークの各々のハイブリッド加入者ユニットにより同時動作をエミュレートする方法であって、
送信の際に、第１のＲＦ技術に関連する第１のエア・インタフェースでの送信と第２のＲＦ技術に関連するエア・インタフェースでの送信を交互に行うこと、および
受信の際に、第１のＲＦ技術に関連するエア・インタフェースでの受信と第２のＲＦ技術に関連するエア・インタフェースでの受信を交互に行うこと、
を含む方法。
【請求項２０】
前記動作は音声通話への従事を含み、前記方法はさらに、第１のエア・インタフェースおよび第２のエア・インタフェースのうちの一方のみでの送信から第１のエア・インタフェースおよび第２のエア・インタフェースの両方での送信に切り換えた時に、前記第１のエア・インタフェースおよび第２のエア・インタフェースのうちの一方でボコードされた音声を低減された速度で送信することを含む請求項１９に記載の方法。
【請求項２１】
第１の無線周波数（ＲＦ）技術に関連するネットワークおよび第２のＲＦ技術に関連するネットワークの各々で動作可能なハイブリッド加入者ユニットであって、
ＲＦ通信を送受信する送受信機、および
送受信機と通信するプロセッサであって、送信の際に、第１のＲＦ技術に関連するエア・インタフェースでの送信と第２のＲＦ技術に関連するエア・インタフェースでの送信とを交互に行い、受信の際に、第１のＲＦ技術に関連する第１のエア・インタフェースでの受信と第２のＲＦ技術に関連する第２のエア・インタフェースでの受信とを交互に行うプロセッサ、を備えたハイブリッド加入者ユニット。
【請求項２２】
前記動作は音声通話への従事を含み、前記加入者ユニットは前記プロセッサと通信するボコーダをさらに備え、前記プロセッサは、前記加入者ユニットが第１のエア・インタフェースおよび第２のエア・インタフェースのうちの一方のみでの送信から第１のエア・インタフェースおよび第２のエア・インタフェースの両方での送信に切り換わった時に、前記ボコーダに、前記第１のエア・インタフェースおよび第２のエア・インタフェースのうちの一方で送信される音声を低減された速度でボコードさせる請求項２１に記載のハイブリッド加入者ユニット。
【発明の詳細な説明】
【技術分野】
【０００１】
本発明は一般に無線通信システムに関し、より詳細にはボイスオーバインターネットプロトコル（ＶｏＩＰ）通信セッションと従来のセルラー通信セッションとの間のハイブリッド通信装置のハンドオフに関する。
【背景技術】
【０００２】
セルラ通信の発展により、種々の技術と対応する種々エア・インタフェースを有するネットワークが普及した。その結果、一つの音声通話がなされている間、無線加入者ユニットは、各ネットワークは多数のネットワークの他のネットワークとは異なる技術を実装する、多数のネットワーク間をローミングすることができる。種々のネットワーク技術の中に、ＣＤＭＡ  ２０００  １ＸＥＶ−ＤＯ（1XEvolution Data Only）のようなパケット交換ＣＤＭＡ（符号分割多重接続）技術や、パケット交換ＣＤＭＡ  １ＸＲＴＴ（1XRadio Transmission Technology）があり、これらはボイスオーバインターネットプロトコル（ＶｏＩＰ）通信サービスと、回線交換音声通信システムを提供するＣＤＭＡ  １Ｘのような従来のレガシーＣＤＭＡセルラ通信技術とを提供することが可能である。
【０００３】
加入者ユニットがパケット交換ＣＤＭＡ通信網と回線交換ＣＤＭＡ通信網との間をローミングする際、加入者ユニットが前者のネットワークから後者のネットワークへ、または後者のネットワークから前者のネットワークへハンドオフすれば、システム性能に有益であり得る。例えば、あるそのようなネットワークに関連するチャネル条件は、フェージング、隣接する同一チャネル干渉、ならびにサービス提供基地局（ＢＳ）または無線アクセスネットワーク（ＲＡＮ）で利用可能な電力のため、別のそのようなネットワークに関連するチャネル条件よりも有利であり得る。別の例では、パケット交換ＣＤＭＡネットワークおよび回線交換ＣＤＭＡネットワークの両方のオペレータは、システム負荷のバランスをとるために、あるそのようなネットワークから別のそのようなネットワークに加入者ユニットを移動させたいと望む場合がある。
【０００４】
現在、パケット交換ＣＤＭＡまたはＷＬＡＮネットワークと回線交換ＣＤＭＡネットワークとの間のハンドオフを実行する唯一の確定した方法は、加入者ユニットが第２のＣＤＭＡ技術のネットワークの無線資源を得る前に第１のＣＤＭＡ技術のネットワークの無線資源を手放さなければならないハードハンドオフの実行である。その結果、加入者ユニットがいずれのネットワークとの通信セッションにも能動的に従事しない短い期間が生じる。さらに、ハンドオフを実行する場合、加入者ユニットは第１のネットワークを手放し、いずれのネットワークのＢＳまたはＲＡＮからも支援されずに第２のネットワークを得なければならないため、２つのネットワーク間にはリンケージが存在しない。その結果、ハンドオフ中に音声トラフィックが損なわれ、システム性能および効率が低下し、エンドユーザは不満になり得る。
【０００５】
したがって、加入者ユニットが能動的にいつでも少なくとも１つのネットワークとの通信セッションに従事することを保証するパケット交換ＣＤＭＡまたはＷＬＡＮネットワークと回線交換ＣＤＭＡネットワークとの間の音声通話の能動的ハンドオフのための方法および装置が必要とされている。
【発明を実施するための最良の形態】
【０００６】
加入者ユニットが能動的に常時少なくとも１つのネットワークとの通信セッションに従事することを保証するパケット交換ＣＤＭＡまたはＷＬＡＮネットワークと回線交換ＣＤＭＡネットワークとの間の音声通話の能動的ハンドオフのための方法および装置に対する要求を叶えるために、ハンドオフの最中に両方のネットワークで通話を伝送することにより（本明細書ではマルチキャスティングと呼ぶ）ＣＤＭＡ  ２０００  １ＸＲＴＴネットワーク、ＣＤＭＡ  ２０００  １ＸＥＶ−ＤＯネットワーク、またはＷＬＡＮネットワークのようなパケット交換ネットワークと、好ましくはＣＤＭＡ  １Ｘネットワークのような回線交換網との間の音声通話のアクティブ・ハンドオフを提供する通信システムが提供される。パケット交換網から回線交換網へのアクティブ・ハンドオフは、ハンドオフ中に両方のネットワークの上りリンクで通話をマルチキャストすることにより遂行される。回線交換網からパケット交換網へのアクティブ・ハンドオフは、ハンドオフ中に両方のネットワークの下りリンクで通話をマルチキャストすることにより遂行される。前者のハンドオフは、通話が回線交換網を通じてルーティングされる場合でも通話においてパケット交換網のパケットデータ制御スイッチを維持することによりさらに促進され得る。後者のハンドオフは、通話がパケット交換網を通じてルーティングされる場合でも通話において回線交換網の移動交換局を維持することによりさらに促進され得る。ハイブリッド加入者ユニットが両ネットワークで同時に動作するために、加入者ユニットは複数の送受信機を備えてもよいが、本発明の別の実施形態では、ハイブリッド加入者ユニットは、同時動作の外観を与えるために、ネットワーク間で迅速に切り替えられる一つの送受信機を備えてもよい。さらに、ネットワークの間で切り替わる場合、加入者ユニットのボコーダは、音声品質を大きく低下させずに迅速な切り換え時間を可能にする低下された速度を使用するようにプロセッサにより命令され得る。
【０００７】
一般に、本発明の実施形態は、パケットデータ制御スイッチを有するパケット交換網から回線交換網へ音声通話をハンドオフする方法を包含する。方法は、パケット交換網で、加入者ユニットに上りリンク音声トラフィックを伝送すると共に加入者ユニットから下りリンク音声トラフィックを受け取ること、および、パケット交換網が、回線交換網へ通話をハンドオフする通知を受け取ることをさらに含む。方法はさらに、ハンドオフ通知の受け取りに応じて、パケット交換網でならびにパケットデータ制御スイッチと回線交換網で加入者ユニットに上りリンク音声トラフィック伝送すると同時に、パケット交換網のみで下りリンク音声トラフィックを受け取ることを含む。方法はさらに、パケット交換網および回線交換網の各々で加入者ユニットに上りリンク音声トラフィックを伝送しているときに、下りリンク音声トラフィックの受け取りのためにパケット交換網からパケットデータ制御スイッチと回線交換網へ切り換えること、および、下りリンク音声トラフィックの受け取りのためのパケット交換網から回線交換網への切り換えに応じて、パケットデータ制御スイッチとパケット交換網で加入者ユニットに上りリンク音声トラフィックを伝送するのを停止しつつパケットデータ制御スイッチと回線交換網で加入者ユニットに上りリンク音声トラフィックを伝送するのを続けることを含む。
【０００８】
本発明の別の実施形態は、加入者ユニットの通話と関連して、パケット交換網で上りリンク音声トラフィックおよび下りリンク音声トラフィックをルーティングし、パケット交換網から回線交換網へ通話をハンドオフする通知を受け取り、ハンドオフ通知の受け取りに応じて、パケット交換網および回線交換網の両方で上りリンク音声トラフィックを加入者ユニットへルーティングすると同時に、パケット交換網のみで下りリンク音声トラフィックを受け取り、パケット交換網と回線交換網の各々で加入者ユニットに上りリンク音声トラフィックを伝送しているときに、パケット交換網から回線交換網へ下りリンク音声トラフィックの受け取りを切り換え、パケット交換網から回線交換網への下りリンク音声トラフィックの受け取りの切り替えに応じて、パケット交換網で加入者ユニットに上りリンク音声トラフィックをルーティングするのを停止しつつ回線交換網で加入者ユニットに上りリンク音声トラフィックをルーティングし続ける、ように構成されたプロセッサを有するパケットデータ制御スイッチを包含する。
【０００９】
本発明のさらに別の実施形態は、回線交換網からパケット交換網へ音声通話をハンドオフする方法を包含する。方法は、回線交換網で、加入者ユニットに上りリンク音声トラフィックを伝送すると共に加入者ユニットから下りリンク音声トラフィックを受け取ること、および、回線交換網が通話のハンドオフを決定することを含む。方法はさらに、回線交換網がハンドオフが必要であることをパケット交換網に通知すること、および、ハンドオフの通知の受け取りに応じて、パケット交換網が、加入者ユニットにハンドオフを行ないたいという要求を伝送し、パケット交換網と加入者ユニットとの間の通信セッションを確立することを含む。方法はさらに、回線交換網およびパケット交換網で加入者ユニットから下りリンク音声トラフィックを受け取ると同時に、回線交換網のみで加入者ユニットに上りリンク音声トラフィックを伝送すること、および、パケット交換網および回線交換網で下りリンク音声トラフィックを受け取るときに、加入者ユニットに上りリンク音声トラフィックを伝送するために、回線交換網からパケット交換網へ切り換えることを含む。方法はさらに、パケット交換網から回線交換網への上りリンク音声トラフィックの切り換えに応じて、回線交換網で下りリンク音声トラフィックを受け取るのを停止しつつパケット交換網で下りリンク音声トラフィックを受け取り続けることを含む。
【００１０】
本発明のまた別の実施形態は、回線交換網からパケット交換網への音声通話のネットワーク間ハンドオフのための通信システムを包含する。通信システムは、第１の上りリンクで加入者に上りリンク音声トラフィックを送信し、第１の下りリンクで加入者ユニットから下りリンク音声トラフィックを受け取り、通話のハンドオフを決定する基地局を備える。通信システムはさらに、基地局と通信する移動交換局であって、基地局に上りリンク音声トラフィックを送信し、基地局から下りリンク音声トラフィックを受信し、通話のハンドオフ決定に応じて、ハンドオフが必要であるという通知を伝送する移動交換局と、移動交換局からハンドオフ通知を受け取り、ハンドオフ通知の受け取りに応じて加入者ユニットにハンドオフを行なうよう要求するパケットデータ制御スイッチとを備える。通信ユニットはさらに、パケットデータ制御スイッチと通信するアクセスネットワークであって、ハンドオフを行なうようとの要求に応じて、加入者ユニットとの第２の上りリンクおよび第２の下りリンクを確立するアクセスネットワークを備える。加入者ユニットとの第２の上りリンクおよび第２の下りリンクの確立に応じて、基地局およびアクセスネットワークの各々は加入者ユニットから下りリンク音声トラフィックを受け取ると共に、基地局だけが加入者ユニットに上りリンク音声トラフィックを伝送する。基地局およびアクセスネットワークの各々が加入者ユニットから下りリンク音声トラフィックを受け取り始めた後に、加入者ユニットへの上りリンク音声トラフィックの伝送が基地局および第１の上りリンクからアクセスネットワークおよび第２のリンクに切り換えられる。基地局および第１の上りリンクからアクセスネットワークへのおよび第２のリンクへの上りリンクの切り換えに応じて、基地局は下りリンク音声トラフィックの受け取りを停止しつつアクセスネットワークは下りリンク音声トラフィックの受け取りを続ける。
【００１１】
本発明のなお別の実施形態は、パケットデータ制御スイッチを有するパケット交換網から回線交換網へ音声通話をハンドオフする方法を包含する。方法は、パケット交換網で音声トラフィックを通信すること、パケット交換網が、回線交換網を通話をハンドオフすべきネットワークであると識別する通話ハンドオフ通知を受け取ること、および、ハンドオフ通知の受け取りに応じて、回線交換網での通信を確立し、パケット交換網での通信を終了すること、を含む。
【００１２】
本発明のさらに別の実施形態は、パケットデータ制御スイッチを有するパケット交換網から回線交換網へ音声通話をハンドオフする方法を包含する。方法は、パケット交換網で音声トラフィックを通信すること、加入者ユニットが、通話のハンドオフを決定すること、  回線交換網を通話をハンドオフすべきネットワークであると識別する通話ハンドオフ通知を伝送すること、およびハンドオフ通知の伝送に応じて、回線交換網での通信を確立し、パケット交換網での通信を終了すること、を含む。
【００１３】
本発明のまた別の実施形態は、第１の無線周波数（ＲＦ）技術に関連するネットワークおよび第２のＲＦ技術に関連するネットワークの各々における同時動作をハイブリッド加入者ユニットによりエミュレートする方法を包含する。方法は、送信の際に、第１のＲＦ技術に関連する第１のエア・インタフェースでの送信と第２のＲＦ技術に関連するエア・インタフェースでの送信を交互に行うこと、および、受信の際に、第１のＲＦ技術に関連するエア・インタフェースでの受信と第２のＲＦ技術に関連するエア・インタフェースでの受信を交互に行うこと、を含む。
【００１４】
本発明のさらに別の実施形態は、第１の無線周波数（ＲＦ）技術に関連するネットワークおよび第２のＲＦ技術に関連するネットワークの各々で動作可能なハイブリッド加入者ユニットを包含する。加入者ユニットは、ＲＦ通信を送受信する送受信機および送受信機と通信するプロセッサを備える。プロセッサは、送信の際に、第１のＲＦ技術に関連するエア・インタフェースでの送信と第２のＲＦ技術に関連するエア・インタフェースでの送信を交互に行い、受信の際に、第１のＲＦ技術に関連する第１のエア・インタフェースでの受信と第２のＲＦ技術に関連する第２のエア・インタフェースでの受信を交互に行う。
【００１５】
本発明は、図１−７を参照すればより十分に説明され得る。図１は、本発明の１実施形態による無線通信システム１００のブロック図である。通信システム１００は、無線ＩＰ（インターネットプロトコル）ベースのパケット交換網１１０および無線回線交換網１２０を備えている。パケット交換網１１０は、パケットデータサービス提供ノード（ＰＤＳＮ）１１６を介して無線アクセスネットワーク（ＲＡＮ）または無線ローカルエリアネットワーク（ＷＬＡＮ）アクセス・ポイント（ＡＰ）のようなパケットベースの無線アクセスネットワーク（ＡＮ）１１４と通信するパケットデータ制御スイッチ（ＰＤＣＳ）１１８を備えている。本発明の１実施形態では、ＰＤＣＳ  １１８は移動交換局エボリューション・エミュレーション（ＭＳＣ）およびメディアゲートウェイ（ＭＧＷ）のうちの１または複数を備え得る。本発明の別の実施形態では、ＰＤＣＳ  １１８は１または複数のセッション開始プロトコル（ＳＩＰ）サーバをさらに備えるか、または該サーバに結合され得る。ＰＤＣＳ  １１８はさらに、加入者ユニット１０２により提供されるボコーダフォーマットと、ＰＳＴＮ  １３２により移送される６４ｋｂｐｓパルス符号変調（ＰＣＭ）フォーマット（ＩＴＵ−ＴＧ．７１１）との間のコード変換に関するコード変換機能を提供する。本発明のまた別の実施形態では、ＰＤＣＳ  １１８はイリノイ州シャンバーグ（Schamburg）所在のモトローラ社（Motorola, Inc.）および他の供給業者から入手可能な１または複数のＳｏｆｔＳｗｉｔｃｈを備え得る。
【００１６】
図２は、本発明の１実施形態によるＰＤＣＳ  １１８のブロック図である。ＰＤＣＳ  １１８は、１または複数のマイクロプロセッサ、マイクロコントローラ、デジタル信号プロセッサ（ＤＳＰ）、それらの組み合わせまたは当業者に周知の他のそのような装置のようなプロセッサ２０２を備え、かかるプロセッサ２０２はＰＤＣＳ  １１８により実行されるものとして本明細書に記載された機能を実行するように構成されている。ＰＤＣＳ  １１８はさらに、ランダムアクセスメモリ（ＲＡＭ）、ダイナミックランダムアクセスメモリ（ＤＲＡＭ）および／または読出専用メモリ（ＲＯＭ）もしくはその等価物のような、プロセッサ２０２に関連し、プロセッサにより実行され得ると共にＰＤＣＳが通信システム１００で動作するのに必要な機能をすべて行なうことを可能にするデータおよびプログラムを格納する少なくとも１つの記憶装置２０４を備える。
【００１７】
回線交換網１２０は、回線交換ベースの移動交換局（ＭＳＣ）１２６と通信する基地局（ＢＳ）１２４を備えている。回線交換網１２０に関して、ＭＳＣ  １２６は、ホーム・ロケーション・レジスタ（ＨＬＲ）（非図示）に接続され、訪問先ロケーション・レジスタ（ＶＬＲ）（非図示）にさらに接続されるか、または認証、認可、課金サーバ（Authentication, Authorization, and Accounting Server, ＡＡＡ）（非図示）に接続される。当該技術分野においてよく知られているように、ＭＳＣ  １２６に関連するＨＬＲおよびＶＬＲ、またはＡＡＡは、加入者ユニットの能力を含む加入者ユニットのプロフィール、ならびに現在加入者ユニットにサービス提供しているＡＮまたはＢＳのような、ＰＤＣＳまたはＭＳＣのそれぞれのネットワーク１１０，１２０のサービスを求めて加入および／または登録された各加入者ユニットに関連するモビリティおよびプロビジョニング情報を含んでいる。パケット交換網１１０に関して、モバイルＩＰ（インターネットプロトコル）が使用される場合、マクロ・モビリティは、当該技術分野で周知のように、ＰＤＳＮ  １１６に関連するホームエージェント（ＨＡ）（非図示）およびフォーリンエージェント（ＦＡ）（非図示）により取り扱われる。簡単なＩＰが使用される場合、マクロ・モビリティはなく、ミクロ・モビリティが当該技術分野で周知のようにＲＡＮ、ＰＳＤＮおよびＰＣＦＳの階層的配置により取り扱われる。ＡＮ  １１４およびＢＳ  １２４の各々は、それぞれのエア・インタフェース１１２，１２２を介して、ＡＮまたはＢＳのカバレージ・エリアにある加入者ユニットに無線通信サービスを提供する。各エア・インタフェース１１２，１２２は、少なくとも１つの上りリンクトラフィックチャネルと少なくとも１つの上りリンク制御チャネルとを含む上りリンクを備えている。上りリンクはページングチャネルをさらに含んでいてもよいし、含んでいなくてもよい。例えば、ＣＤＭＡ  ２０００  １ＸＥＶ−ＤＯ通信システムでは、ページング機能はルートアップデートプロトコル（Route Update Protocol）を使用して行なわれる。各エア・インタフェース１１２，１２２は、少なくとも１つの下りリンクトラフィックチャネル、少なくとも１つの下りリンクシグナリングチャネル、およびアクセスチャネルを含む下りリンクをさらに備えている。
【００１８】
パケット交換網１１０および回線交換網１２０、すなわちＰＤＣＳ  １１８およびＭＳＣ  １２６は、周知のシステム間プロトコル、好ましくは３ＧＰＰ２（第３世代パートナーシッププロジェクト２）ＴＩＡ−４１（米国電気通信工業会−４１）規格すなわち３ＧＰＰ２  Ｎ．Ｓ０００５で記述されたプロトコルに従って動作する中間ネットワーク１３０を介して互いに通信する。ＴＩＡ−４１規格は、セルラシステムにおけるモビリティ管理のための規格化されたシステム間手順を提供すると共に、種々のセルラシステム間に相互作用が必要とされる場合に加入者ユニットにサービスを提供するために移動交換局、ホーム・ロケーション・レジスタ（ＨＬＲ）、訪問先ロケーション・レジスタ（ＶＬＲ）、認証センター（ＡＣ）およびセルラシステム内の他のコア・ネットワーク要素間のメッセージングを規定する。パケット交換網１１０および回線交換網１２０、すなわちＰＤＣＳ  １１８およびＭＳＣ  １２６は、各々、ＳＳ７シグナリングを含む公衆交換電話網（ＰＳＴＮ）のような陸線ネットワーク１３２にさらに接続される。
【００１９】
通信システム１００はさらに無線加入者ユニット（ＳＵ）１０２を備え、加入者ユニット（ＳＵ）１０２には例えばセルラ電話、無線電話または携帯情報端末（ＰＤＡ）、パーソナルコンピュータ（ＰＣ）、もしくは無線音声通信用に装備されたラップトップコンピュータが含まれるが、これらに限定されるわけではない。種々の通信システムにおいて、加入者ユニット１０２は、アクセスターミナル（ＡＴ）、移動局（ＭＳ）またはユーザ装置（ＵＥ）とも称され得る。加入者ユニット１０２は、パケット交換網１１０とのボイスオーバインターネットプロトコル（ＶｏＩＰ）通話に従事することができ、さらには回線交換網１２０との従来のセルラ通話に従事することができる、すなわちＳＩＰプロトコルによりＰＤＣＳ  １１８およびＩＳ−２０００プロトコルによりＭＳＣ  １２６と通信することができる、ハイブリッド端末を含む。
【００２０】
ここで図３を参照すると、本発明の１実施形態では、通信システム１００中で動作することができる加入者ユニット１０２のようなハイブリッド加入者ユニット３００は、複数の送受信機、すなわちパケット交換網１１０で動作するための第１の送受信機３０２および回線交換網１２０で動作するための第２の送受信機３０４を含み、それにより２つのネットワークの各々で加入者ユニットが同時に送信または受信することが可能である。各送受信機はボコーダ３０６およびプロセッサ３０８に接続され、プロセッサ３０８は少なくとも１つの記憶装置３１０にさらに接続される。
【００２１】
ここで図４を参照すると、本発明の別の実施形態では、通信システム１００中で動作することができる加入者ユニット１０２のようなハイブリッド加入者ユニット４００は、送受信機３０２および３０４のような２つの送受信機の動作をエミュレートする一つの送受信機４０２を含む。送受信機４０２はプロセッサ４０４に接続され、プロセッサ４０４は少なくとも１つの記憶装置４０６にさらに接続される。同時動作の外観を与えるために、プロセッサ４０４は、送受信機４０２をネットワーク１１０，１２０の間で迅速に切り替え得る。さらに、加入者ユニット４００は、最適時でのネットワーク間の切り換えを促進する優先情報を少なくとも１つの記憶装置４０６に維持し得る。さらに、ネットワーク間で切り換えを行う場合、送受信機４０２、プロセッサ４０４および少なくとも１つの記憶装置４０６の各々とバス相互接続されたボコーダ４０８は、音声品質を大きく低下させずに迅速な切り換え時間を可能にする低下された速度を使用するようにプロセッサにより命令され得る。
【００２２】
プロセッサ３０８および４０４の各々は、１または複数のマイクロプロセッサ、マイクロコントローラ、デジタル信号プロセッサ（ＤＳＰ）、それらの組み合わせまたは当業者に周知の他のそのような装置を備え、かかるプロセッサは加入者ユニット１０２により実行されるものとして本明細書に記載された機能を実行するように構成されている。少なくとも１つの記憶装置３１０および４０６の各々は、ランダムアクセスメモリ（ＲＡＭ）、ダイナミックランダムアクセスメモリ（ＤＲＡＭ）および／または読出専用メモリ（ＲＯＭ）もしくはその等価物を備え、関連するプロセッサにより実行され得ると共に加入者ユニット１０２が通信システム１００で動作するのに必要な機能をすべて行なうことを可能にするデータおよびプログラムを格納する。
【００２３】
加入者ユニット１０２が陸線ネットワーク１３２とパケット交換網１１０および回線交換網１２０のうちの１または複数を介して遠く離れたパーティ１３４との音声通話に従事するために、加入者ユニット１０２，パケット交換網１１０および回線交換網１２０の各々は、周知の無線遠隔通信プロトコルに従って動作する。遠隔パーティ１３４は陸線ネットワーク１３２に接続されているものとして描かれているが、遠隔パーティ１３４は、パケット交換網１１０および回線交換網１２０を含む任意の音声通信網に接続されていてもよい。好ましくは、パケット交換網１１０は、該ネットワークによりサービス提供されている加入者にＶｏＩＰ通信サービスを提供し３ＧＰＰ２およびＴＩＡ／ＥＩＡ（米国電気通信工業会／電子工業会）ＩＳ−８５６ならびに３ＧＰＰ２  Ｃ．Ｓ００２４規格（これはＣＤＭＡ  ２０００  １ＸＥＶ−ＤＯ（１Ｘエボルーションデータのみ）システムに互換性規格を提供する）に従って動作するＣＤＭＡ（符号分割多重接続）２０００通信システムである。好ましくは、回線交換網１２０は、該ネットワークによりサービスされている加入者に回線交換通信サービスを提供しＣＤＭＡ  １Ｘ規格に従って動作するＣＤＭＡ  ２０００通信システムである。
【００２４】
さらに、エア・インタフェース１２２、対応するネットワーク１２０および加入者ユニット１０２は、ＣＤＭＡ  ２０００方式として動作するセル式移動通信方式の互換性規格を提供するＩＳ−９５およびＴＩＡ−２０００規格（すなわち相互運用のための仕様書）（ＩＯＳ）の１または複数のＴＩＡ／ＥＩＡ（米国電気通信工業会／電子工業会）に従って好ましくは動作する。さらに、エア・インタフェース１１２、対応するネットワーク１１０、および再び加入者ユニット１０２は、ＣＤＭＡ  ２０００  １ＸＥＶ−ＤＯ、１ＸＥＶ−ＤＶ、または１ＸＲＴＴ方式として動作するセル式移動通信方式の互換性規格を提供するＩＳ−９５、ＴＩＡ−２０００、ＴＩＡ−２００１（３ＧＰＰ２  Ａ．Ｓ００１１からＡ．Ｓ００１７）またはＴＩＡ−８７８ならびにＴＩＡ−１８７８（Ａ．Ｓ０００７およびＡ．Ｓ０００８）規格（すなわち相互運用のための仕様書）（ＩＯＳ）の１または複数に従って好ましくは動作する。互換性を確実にするために、無線方式パラメータおよび呼処理手順は、通話を確立するかまたはハンドオフを実行するためにＭＳとＭＳにサービスを提供する基地局によって、ならびにＢＳと関連インフラストラクチュアとの間で実行される呼処理ステップを含む規格により指定される。しかしながら、当業者には、パケット交換網１１０がＩＥＥＥ（電気電子学会）８Ｏ２．ｘｘ規格（例えば８０２．１１、８０２．１５、８０２．１６、または８０２．２０規格）によって記述される無線ローカルエリアネットワーク（ＷＬＡＮ）通信方式のようなＶｏＩＰ通信サービスを提供する種々の無線パケットデータ通信方式のうちの任意の１つに従って動作し得、回線交換網１２０が回線交換通信サービスを提供する種々の周知の従来の無線通信システムのうちの任意の一つに従って動作し得ることが理解される。
【００２５】
通信システム１００では、加入者ユニットが音声通話に従事しているときに、加入者ユニット１０２はシステム中をローミングする場合がある。ローミングの結果、パケット交換網１１０から回線交換網１２０へと、または回線交換網１２０からパケット交換網１１０へと、加入者ユニット１０２をハンドオフすることが望ましい状況が発生し得る。例えば、当該技術分野で周知のように、加入者ユニット１０２は、通信システム１００でローミングし、ＡＮ  １１４によってサービス提供されている最中に、ＢＳ  １２４からより強い信号を受け取る場合がある。あるいは、加入者ユニット１０２は、ＢＳ  １２４によってサービス提供されている最中に、ＡＮ  １１４からより強い信号を受け取る場合がある。通常、信号強度は、ＡＮまたはＢＳに関連するパイロットチャネルを測定している加入者ユニット１０２等の加入者ユニットにより決定される。サービス提供しているＡＮまたはＢＳのパイロットチャネルが閾値および別のＡＮまたはＢＳのパイロットチャネルより弱い場合、それは通常ハンドオフが望ましいことを示す。
【００２６】
別の例では、パケット交換網１１０上で動作中の加入者ユニット１０２に関連するコストは、回線交換網１２０上で動作中の加入者ユニット１０２に関連するコストとは異なり得る。よって、ネットワーク１１０および１２０の１または複数のオペレータは各ネットワークを使用するために異なる料金を請求してもよい。その結果、加入者ユニット１０２のユーザは、加入者ユニットがより低額のコストネットワークでのトラフィックチャネルを得ることができる場合は常に、より低額のコストネットワーク上で動作する指令を加入者ユニットにプログラムしてもよい。加入者ユニット１０２がより高額のコストネットワークでの音声通話に従事しており、より低コストのトラフィックチャネルを得ることができる場合、より低コストのネットワークのトラフィックチャネルが利用できることがユーザに通知されれば、加入者ユニットまたは加入者ユニットのユーザはより低コストのネットワークへのハンドオフを開始してもよい。
【００２７】
さらに別の例では、加入者ユニット１０２のユーザが音声通話ではなくビデオ電話サービスを利用することを好み、パケット交換網１１０はビデオ電話をサポートしているが回線交換網１２０はビデオ電話をサポートしていない場合には、回線交換網１２０での音声通話に能動的に従事している加入者ユニット１０２等の加入者ユニットをパケット交換網１１０へ移動させることが望ましい。
【００２８】
さらに別の例では、負荷を一様にするために、ネットワークコストを考慮する目的で、またはカバレージ・エリアのトラフィックチャネルをクリアして緊急通信を容易にする必要があるために、通信システム１００等の通信システムのオペレータは、パケット交換網１１０または回線交換網１２０のような第１のネットワークでの音声通話に能動的に従事している加入者ユニット１０２のような加入者ユニットを他方のネットワークに移動させることが望ましいと感じる場合もある。
【００２９】
加入者ユニット１０２等の加入者ユニットのハンドオフを促進するために、加入者ユニットが音声通話に能動的に従事しているときに、通信システム１００は、パケット交換網１１０から回線交換網１２０へ、または回線交換網１２０からパケット交換網１１０へ、加入者ユニット１０２をアクティブ・ハンドオフする方法および装置を提供する。パケット交換ＣＤＭＡネットワークと回線交換ＣＤＭＡネットワーク間の音声通話のアクティブ・ハンドオフを提供することにより、通信システム１００は、いつでもネットワーク１１０および１２０のうちの少なくとも１つとの通信セッションに能動的に従事することが確保され、それによりハンドオフ中に音声トラフィックが失われる恐れが最小限となる。
【００３０】
図５は、本発明の１実施形態によるパケット交換網１１０から回線交換網１２０への音声通話のハンドオフの際に通信システム１００により実行されるハンドオフの信号フロー図５００である。信号フロー図５００は、加入者ユニット１０２が、パケット交換網１１０および陸線ネットワーク１３２を介して遠隔パーティ１３４とのＶｏＩＰ通話に能動的に従事したときに開始する。パケット交換網１１０でのＶｏＩＰ通話に参加するためには、加入者ユニット１０２が予めパケット交換網に登録されていなければならない。通話の一部として、ＳＩＰセッションおよびリアルタイム・プロトコル（ＲＴＰ）セッションが加入者ユニット１０２とＰＤＣＳ  １１８との間でアクティブである。ＰＤＣＳ  １１８がＭＳＣｅとＭＧＷを含む場合、加入者ユニット１０２とＭＳＣｅとの間でＳＩＰセッションがアクティブであり、加入者ユニットとＭＧＷとの間でＲＴＰセッションがアクティブである。ＳＩＰは、インターネット技術特別調査委員会（ＩＥＴＦ）のコメント（ＲＦＣ）３２６１に記述されており、ＲＦＣはその全体が本明細書に組み込まれる。加入者ユニット１０２は、陸線ネットワーク１３２および遠隔パーティ１３４にルーティングするために、エア・インタフェース１１２、ＡＮ  １１４およびＰＤＳＮ  １１６（本明細書では下りリンクユニキャストと称する）の下りリンクトラフィックチャネルを介して、音声情報を含む下りリンクフレームをＰＤＣＳ  １１８へ伝送する５０２。さらに、ＰＤＣＳ  １１８が陸線ネットワーク１３２から、詳細には遠隔パーティ１３４から、加入者ユニット１０２に向けられた音声トラフィックを受け取る場合、ＰＤＣＳ  １１８は音声情報をＰＤＳＮ  １１６を介してＡＮ  １１４へルーティングし５０４、ＡＮ  １１４は音声情報を含む上りリンクフレームをエア・インタフェース１１２の上りリンクトラフィックチャネル（本明細書では上りリンクユニキャストと称する）を介して加入者ユニット１０２へ伝送する。
【００３１】
ＶｏＩＰ通話の前かその最中に、加入者ユニット１０２はさらに回線交換網１２０に登録、詳細にはＢＳ  １２４を介してＭＳＣ  １２６に登録する５０６。例えば、加入者ユニット１０２は、ＡＮ  １１４によりサービス提供されているカバレージ・エリアから、ＢＳ  １２４により（すなわち回線交換網１２０により）サービス提供されているカバレージ・エリアへとローミングする場合があり、回線交換網のカバレージ・エリアへローミングすることで回線交換網に登録する。別の例では、加入者ユニット１０２は、ＡＮ  １１４およびＢＳ  １２４の両方のカバレージ・エリアで最初に作動され得る。作動時、加入者ユニット１０２は、パケット交換網１１０および回線交換網１２０の両方で登録し得る、すなわちＡＮ  １１４およびＰＤＳＮ  １１６を介してＰＤＣＳ  １１８ならびにＢＳ  １２４を介してＭＳＣ  １２６に登録し得る。そのような登録手順は当該技術分野で周知であり、加入者ユニットがネットワークに登録する場合に、ネットワークがそのネットワークに関連すると共に加入者ユニットにサービス提供するＡＮまたはＢＳの識別子をそれぞれのＨＬＲまたはＶＬＲに格納すること以外は、本明細書では詳しく説明しない。ネットワーク１１０および１２０の各々への加入者ユニット１０２の登録は、加入者ユニットを決定し、かつ加入者ユニットをページングする場合に使用するＡＮまたはＢＳを決定するネットワークの能力を促進する。ネットワーク１１０および１２０への登録に応じて、加入者ユニット１０２はネットワーク１２０の上りリンクページングチャネルまたはページング機能に調和する。
【００３２】
ＶｏＩＰ通話中のある時点で、加入者ユニット１０２は、ＡＮ  １１４およびパケット交換網１１０からＢＳ  １２４および回線交換網１２０へと通話がハンドオフされるべきことを決定する。上述したように、この決定はとりわけ信号強度測定値、ネットワークのコスト／負荷または加入者ユニットのユーザの指令のうちの１または複数に基づいてなされる。通話がハンドオフされるべきことの決定に応じて、加入者ユニット１０２は、加入者ユニットがハンドオフを開始したいという要求を、ＡＮ  １１４に通知する５０８。ＡＮ  １１４はその通知をＰＤＳＮ  １１６へ送り５１０、次にＰＤＳＮはその通知をＰＤＣＳ  １１８へ送る５１２。通常、ＳＩＰメッセージはＡＮ  １１４およびＰＤＳＮ  １１６のようなネットワーク要素にトランスペアレントである。好ましくは、ハンドオフしたいという要求の加入者ユニット１０２によるＰＤＣＳ  １１８への通知は、ＳＩＰメッセージの使用により、詳細には加入者ユニットによって伝送されＰＤＣＳへ転送されるＳＩＰ  ＲＥＦＥＲメッセージ（ＲＦＣ  ３５１５）の修正版の使用により、遂行される。ＳＩＰ  ＲＥＦＥＲメッセージは、識別された加入者ユニットのハンドオフのために目標ネットワークである回線交換網１２０を識別すべく修正されている。
【００３３】
図６は、本発明の１実施形態によるハンドオフを開始するために加入者ユニット１０２により伝送され得る例証的な修正ＳＩＰ  ＲＥＦＥＲメッセージ６００の図である。図６に描かれているように、ＳＩＰ  ＲＥＦＥＲメッセージ６００は、ＳＩＰ  ＲＥＦＥＲメッセージであることを示すメッセージタイプデータフィールドである第１のデータフィールド６０２を備えている。ＳＩＰ  ＲＥＦＥＲメッセージ６００はさらに、加入者ユニット１０２をメッセージの目的地であると識別する目的地データフィールドである第２のデータフィールド６０４と、加入者ユニット１０２をメッセージの発呼者であるとさらに識別する発呼データフィールドである第３のデータフィールド６０６とを備えている。同じ加入者ユニット（すなわち加入者ユニット１０２）をメッセージの発呼者および目標であると識別することにより、ハンドオフが要求されていることをＳＩＰ  ＲＥＦＥＲメッセージは示す。さらに、先行技術のＳＩＰ  ＲＥＦＥＲメッセージと異なり、ＳＩＰ  ＲＥＦＥＲメッセージ６００は、識別された加入者ユニットのハンドオフのための目標ネットワークを識別する目標ネットワーク指標データフィールドである第４のデータフィールド６０８を備えるように修正されている。例えば、図６に示すように、目標ネットワーク指標データフィールドは「Ｐ−アクセスネットワーク情報（P-Access-Network-Info）」と称され、ハンドオフのための目標ネットワークはパケット交換網１１０のような３ＧＰＰ２  １ＸＲＴＴネットワークである。
【００３４】
ハンドオフしたいという要求を加入者ユニット１０２により通知されることに応じて、ならびに通知により識別される目標ネットワーク（すなわち回線交換網１２０）に基づいて、ＰＤＣＳ  １１８は、ＨＬＲおよびＶＬＲのうちの少なくとも一つならびにＰＤＣＳ  １１８内に備えられるかＰＤＣＳ  １１８に接続された予め提供されたデータベース（非図示）を参照することにより、目標ＭＳＣ（すなわちＭＳＣ  １２６）を決定する。目標ＭＳＣ（すなわちＭＳＣ  １２６）の決定に応じて、ＰＤＣＳ  １１８は、ハンドオフが必要であることを中間ネットワーク１３０を介してＭＳＣ  １２６に通知し５１４、ハンドオフを要求している加入者ユニット（すなわち加入者ユニット１０２）をさらに識別する。好ましくは、ＰＤＣＳ  １１８は、ＴＩＡ−４１  ＦＡＣＤＩＲ２（ファシリティ指令２）ＩＮＶＯＫＥメッセージを伝送することにより、ハンドオフが必要であることおよび要求している加入者ユニットをＭＳＣ  １２６に通知する。ＰＤＣＳ  １１８からのハンドオフ通知の受け取りに応じて、ＭＳＣ  １２６は、ＭＳＣ内に備えられるかＭＳＣに接続されたＨＬＲおよびＶＬＲの少なくとも１つを参照することにより、目標ＢＳ（すなわちＢＳ  １２４）を決定する。その後、ＭＳＣ  １２６は、好ましくはＩＯＳで詳細に記述されたようなＨＡＮＤＯＦＦ  ＲＥＱＵＥＳＴメッセージを目標ＢＳに伝送することにより、加入者ユニット１０２のハンドオフが必要であることを目標ＢＳ  １２４に通知する５１６。
【００３５】
ＭＳＣ  １２６からのハンドオフ通知の受け取りに応じて、ＢＳ  １２４は加入者ユニット１０２をページングする５１８。ＢＳ  １２４はさらに、エア・インタフェースの少なくとも１つのリンク制御チャネルを介して加入者ユニットにハンドオフ要求メッセージを伝送してもよい５１８ａし、加入者ユニットとボコーダフォーマットについてネゴシエートしてもよい。さらに、ＢＳ  １２４は、加入者ユニットに上りリンクトラフィックチャネルおよび下りリンクトラフィックチャネルを割り当てることにより加入者ユニット１０２との通信セッションを好ましくは設定し、周知技術に従って加入者ユニットとＭＳＣ  １２６との間のベアラ・パスをさらに確立する。例えば、ＢＳ  １２４は、最初にトラフィックチャネル割り当てを行なうことによりページングに直ちに続いて加入者ユニット１０２をトラフィックチャネルへ導いてもよいし、またはＢＳは、加入者ユニットをトラフィックチャネルへ強要するためにチャネル割り当てメッセージ（ＣＡＭ）を伝送してもよい。その後、ＢＳ  １２４は、割り当てられた上りリンクトラフィックチャネルを介して加入者ユニットに無効フレームを伝送することにより５２０、加入者ユニットとのベアラ・パスの確立を開始する。ＢＳ  １２４はさらに、割り当てられた上りリンクトラフィックチャネルおよび上述の少なくとも一つの上りリンクシグナリングチャネルの一方を介して、加入者ユニット１０２に割り当てられた下りリンクトラフィックチャネルを通知する。
【００３６】
さらに、ＭＳＣ  １２６からのハンドオフ通知の受け取りに応じて、ＢＳ  １２４は、好ましくはＩＯＳで詳細に記述されたＨＡＮＤＯＦＦ  ＲＥＱＵＥＳＴ  ＡＣＫである確認応答をＭＳＣに伝送することにより、ハンドオフが必要であるという通知をＭＳＣ  １２６から受け取ったことを確認する５２２。ＢＳ  １２４からの確認応答の受け取りに応じて、ＭＳＣ  １２６は、ハンドオフ通知確認応答をＰＤＣＳ  １１８へ伝送することにより、ＰＤＣＳ１１８からＭＳＣにより受け取ったハンドオフ通知５１４に確認応答する５２４。好ましくは、ハンドオフ通知確認応答は、ＰＤＣＳ  １１８へのＴＩＡ−４１  ＦＡＣＤＩＲ２  ＲＥＳＰＯＮＳＥメッセージを含む。
【００３７】
信号フロー図５００のこの時点で、エア・インタフェース１１２および１２２の各々で加入者ユニット１０２との上りリンクトラフィックチャネルが確立される。ＭＳＣ  １２６からのハンドオフ通知確認応答の受け取りに応じて、ＰＤＣＳ  １１８は、加入者ユニット１０２にマルチキャスト５２６，５３０の音声トラフィックを開始する。すなわち、ＰＤＣＳ  １１８が遠隔パーティ１３４から音声トラフィックを受け取る場合、ＰＤＣＳ１１８は、パケット交換網１１０および回線交換網１２０の各々を介して音声トラフィックを加入者ユニット１０２へ伝送する５２６。詳細には、ＰＤＣＳ  １１８が遠隔パーティ１３４から音声トラフィックを受け取る場合ＰＤＣＳ  １１８は、ＰＤＳＮ  １１６を介してＡＮ  １１４へ音声トラフィックの第１のコピーを伝送し、ＡＮ  １１４はエア・インタフェース１１２で確立された上りリンクトラフィックチャネルを介して音声トラフィックを含む第１のセットのリンクフレームを加入者ユニット１０２へ伝送する。さらに、ＰＤＣＳ  １１８は、中間ネットワーク１３０およびＭＳＣ  １２６を介して音声トラフィックの第２のコピーをＢＳ  １２４へ伝送し、ＢＳはエア・インタフェース１２２で確立された上りリンクトラフィックチャネルを介して音声トラフィックを含む第２のセットのリンクフレームを加入者ユニット１０２へ伝送する。上述したように、ネットワーク１１０および１２０の双方からのフレームの加入者ユニット１０２による受け取りは、加入者ユニットの送受信機３０２および３０４の各々に関連する受信機のように２つの受信機によって実行されてもよいし、または加入者ユニットのプロセッサ４０４等のプロセッサにより二つのネットワーク間を迅速に切り換えるように命令されている加入者ユニットの送受信機４０２に関連する受信機のような一つの受信機により実行されてもよい。後者を容易にするために、ＰＤＣＳ  １１８は、遠隔パーティ１３４中のまたは遠隔パーティ１３４に関連するボコーダを全速のボコーダフレームの代わりに１／８レートのボコーダフレームのようなより低いフレーム速度にしてもよい。速度が低減されたフレームを受け取ることにより、加入者ユニット１０２は、ネットワーク１１０と１０２との間で切り替わるのにより多くの時間を有することとなり、ボコーダフレームを完全に喪失したり、２つの受信機が必要となったりすることがない。加入者ユニット１０２は音声フレームの複製処理をなくすために、当該技術分野で周知の方法を実行可能できる。
【００３８】
ＰＤＣＳ  １１８は、通話のためのアンカーとして、すなわちネットワーク１１０および１２０の各々への陸線ネットワーク１３２のためのゲートウェイとして機能し、通話の持続時間中、そしてパケット交換網１１０から回線交換網１２０へ通話がハンドオフされた後でさえ、通話のパスに存在する。上りリンクがパケット交換網１１０から回線交換網１２０まで切り替えられる前にマルチキャスティングに備えることにより、「破断と作成（break and make）のハードハンドオフ」から生じる恐れのある加入者ユニット１０２により受け取られる音声トラフィックにおけるギャップが最小限にされる。しかしながら、上りリンクフレームの適切な同期を保証するために、加入者ユニット１０２は、パケット交換網１１０および回線交換網１２０のうちの１つから受け取られたフレームに遅延（delay）を加えてもよい。
【００３９】
信号フロー図５００のこの時点で、加入者ユニット１０２は、音声トラフィックを含む下りリンクフレームをパケット交換網１１０を介して陸線ネットワーク１３２へ、詳細にはＰＤＣＳ  １１８へユニキャストし続ける５２８。すなわち、加入者ユニット１０２は、エア・インタフェース１１２の下りリンクトラフィックチャネルを介してＡＮ  １１４へのみ、およびＡＮを介してＰＤＣＳ  １１８へ、音声トラフィックを含む下りリンクフレームを伝送する。
【００４０】
さらに、ＭＳＣ  １２６からのハンドオフ通知確認応答の受け取りに応じて、ＰＤＣＳ  １１８は、エア・インタフェース１１２の少なくとも１つの上りリンクチャネルを介してハンドオフが進行していることを加入者ユニット１０２に通知する５３２。パケット交換網１１０では、このメッセージングはＳＩＰメッセージで取り扱われ得る。好ましくは、ＰＤＣＳ  １１８からのハンドオフ通知確認応答は、加入者ユニット１０２への、ＩＥＴＦ  ＲＦＣ  ３５１５（ＲＦＣはその全体が参照により本明細書に組み込まれる）セクション４．１に記述されたＳＩＰ  ＲＥＦＥＲ「２０２  受理」メッセージを含む。繰り返しになるが、ＡＮ  １１４およびＰＤＳＮ  １１６は通常ＳＩＰメッセージに対してトランスペアレントであり、回線交換網１２０で理解されるように、ＰＤＣＳからＰＤＳＮへのメッセージまたはＰＤＳＮからＡＮへのメッセージはない
ハンドオフが進んでいるとの通知に応答して、加入者ユニット１０２は、パケット交換網１１０で音声情報の下りリンクフレームをＰＤＣＳ  １１８へユニキャストすることから５２８、回線交換網１２０で音声情報の下りリンクフレームをＰＤＣＳ  １１８へユニキャストすることへと５４２、切り換える。すなわち、音声情報を含むリンクフレームをＡＮ  １１４およびＢＳ  １２４の各々ならびにエア・インタフェース１１２および１２２のリンクトラフィックチャネルを介して受け取り続ける５３８,５４０間、加入者ユニット１０２は、パケット交換網１１０およびエア・インタフェース１１２の下りリンクトラフィックチャネルで音声情報の下りリンクフレームを伝送することから、エア・インタフェース１２２の下りリンクトラフィックチャネルで回線交換網１２０に音声情報の下りリンクフレームを伝送することへ切り替わる。この下りリンクパスの切り換えは、好ましくはフレーム境界で生じ、そのため音声フレームの損失のない切り換えが提供される。
【００４１】
エア・インタフェース１１２の下りリンクトラフィックチャネルからエア・インタフェース１２２の下りリンクトラフィックチャネルへの切り換えに応答して、加入者ユニット１０２は、加入者ユニットがハンドオフを完了したことをＢＳ  １２４に通知する５４４。好ましくは、加入者ユニット１０２は、ＩＯＳで記述された第１のＨＡＮＤＯＦＦ  ＣＯＭＰＬＥＴＥメッセージを伝送することにより、ハンドオフが完了したことをＢＳ  １２４に通知する。加入者ユニット１０２がハンドオフを完了したことを通知されることに応じて、ＢＳ  １２４は、好ましくはＭＳＣにＩＯＳで記述された第２のＨＡＮＤＯＦＦ  ＣＯＭＰＬＥＴＥメッセージを伝送することにより、加入者ユニットがハンドオフを完了したことをＭＳＣ  １２６に通知する５４６。順番に、ＭＳＣ  １２６は、好ましくは中間ネットワーク１３０を介してＰＤＣＳ  １１８にＴＩＡ−４１  ＭＳＯＮＣＨメッセージを伝送することにより、加入者ユニット１０２がエア・インタフェース１２２の下りリンクに切り替わったことを通知するメッセージを伝送する５４８。ＭＳＣ  １２６から受け取られたメッセージに基づいて、ＰＤＣＳ  １１８は、加入者ユニットがハンドオフを完了したことを判定する。
【００４２】
さらに、エア・インタフェース１１２の下りリンクトラフィックチャネルからエア・インタフェース１２２の下りリンクトラフィックチャネルへの切り換えに応じて、加入者ユニット１０２はハンドオフが完了したことをＰＤＣＳ  １１８に通知する５５０。好ましくは、加入者ユニット１０２からＰＤＣＳ  １１８へのハンドオフ完了メッセージは、ＩＥＴＦ  ＲＦＣ  ３５１５  セクション４．１で記述されたＳＩＰ  ＲＥＦＥＲ「２００  ＯＫ」メッセージを含む。その後、加入者ユニット１０２は、パケット交換網１１０に関して、休止しているようになるかまたは切断されてもよい。その後、ＰＤＣＳ  １１８は、加入者ユニット１０２とパケット交換網１１０との間のＲＴＰセッションを終了し、パケット交換網で加入者ユニットに上りリンクフレームを伝送することを停止し、それにより、回線交換網１２０、およびエア・インタフェース１２２の割り当てられた上りリンクトラフィックチャネルを介して、通話をユニキャスト上りリンク通話へ変換する５５６。上述したように、通話は、回線交換網１２０およびエア・インタフェース１２２の割り当てられた下りリンクトラフィックチャネルによって既にユニキャスト下りリンク通話に変換されていた。しかしながら、通話は、エア・インタフェース１２２、回線交換網１２０、中間ネットワーク１３０およびＰＤＣＳ  １１８を介して回線交換通話として継続する。その後、信号フロー図５００は終了する。
【００４３】
図７は、本発明の１実施形態による、回線交換網１２０で通信されるレガシー音声通話のパケット交換網１１０で通信されるＶｏＩＰ音声通話へのハンドオフの際に通信システム１００により実行されるハンドオフの信号フロー図７００である。加入者ユニット１０２が回線交換網１２０および陸線ネットワーク１３２を介して遠隔パーティ１３４とのレガシーすなわち従来のセルラ通話に能動的に従事している場合に、信号フロー図７００は開始する。通話に参加するために、加入者ユニット１０２は予め回線交換網に登録していなければならない。通話の一部として、遠隔パーティ１３４は、Ｇ．７１１プロトコル（６４ｋｂｐｓパルス符号変調（ＰＣＭ））を使用して、陸線ネットワーク１３２およびＭＳＣ  １２６を介してＢＳ  １２４と通信する７０２。ＢＳ  １２４は受け取った通信を加入者ユニット１０２と互換性をもつボコーダフォーマットへコード変換し、エア・インタフェース１２２の上りリンクトラフィックチャネルを介してコード変換した情報を加入者ユニット１０２に伝送する７０２。さらに、ＢＳ  １２４は、エア・インタフェース１２２の下りリンクトラフィックチャネルを介して加入者ユニット１０２からボコードされた情報を取得し７０４、ボコードされた情報を６４ｋｂｐｓ  ＰＣＭ（Ｇ．７１１）へコード変換し、ＭＳＣ  １２６および陸線ネットワーク１３２を介してコード変換した情報を遠隔パーティ１３４へ伝送する７０４。
【００４４】
通話の前かその最中に、加入者ユニット１０２はさらにパケット交換網１１０に登録、詳細にはＡＮ  １１４およびＰＤＣＳ  １１８に登録し７０６、周知技術に従ってＰＤＳＮ  １１６とのＰＰＰ（ポイント・ツー・ポイントプロトコル）通信セッションを確立する。ＡＮ  １１４、ＰＤＳＮ  １１６およびＰＤＣＳ  １１８の間の接続が、加入者ユニット１０２およびＰＤＣＳ  １１８が互いに通信できるように、パケット交換網１１０上で確立される。例えば、加入者ユニット１０２は、ＢＳ  １２４によりサービス提供されているカバレージ・エリアから、ＡＮ  １１４により、すなわちパケット交換網１１０によりサービス提供されているカバレージ・エリアへとローミングし、パケット交換網に登録し得る。別の例では、加入者ユニット１０２は、最初ＡＮ  １１４およびＢＳ  １２４の両方のカバレージ・エリアで作動し、作動時にパケット交換網１１０および回線交換網１２０の両方で登録、詳細にはＰＤＣＳ  １１８およびＭＳＣ  １２６で登録し得る。
【００４５】
通話中のある時点で、ＢＳ  １２４は、ハンドオフが必要であることを決定する。上述したように、この決定はとりわけ信号強度測定値、ネットワークのコストまたはネットワークオペレータの指令のうちの１または複数に基づいてなされる。本発明の別の実施形態では、例えば修正ＩＳ−２０００シグナリングメッセージにより、加入者ユニット１０２がパケット交換網１１０へのハンドオフを必要とすることを加入者ユニット１０２はＢＳ  １２４に通知してもよい。これはユーザのアクションにより開始されてもよいし、または、例えばユーザが加入者ユニットで電子メールのダウンロードセッションを開始する場合に加入者ユニット１０２がハンドオフを必要とすることを決定してもよい。通話がハンドオフされるべきことの決定に応じて、ＢＳ  １２４は、ハンドオフを開始する必要があることをＭＳＣ  １２６に通知する７０８。好ましくは、この通知は、ＷＬＡＮネットワークまたはＣＤＭＡ  ２０００  １ＸＥＶ−ＤＯネットワークのような目標ネットワークの表示を含む。ハンドオフが必要であることをＢＳ  １２４により通知されることに応じて、ＭＳＣ  １２６は、ＨＬＲおよびＶＬＲのうちの少なくとも一つならびにＭＳＣ  １２６内に備えられるかＭＳＣ  １２６に接続されたた予め提供されたデータベースを参照することにより、目標交換局（すなわち目標ＰＤＣＳ  １１８）を決定する。
【００４６】
目標交換局の決定に応じて、ＭＳＣ  １２６はハンドオフが必要であることを中間ネットワーク１３０を介して目標交換局すなわちＰＤＣＳ  １１８に通知し７１０、ハンドオフされるべき加入者ユニットすなわち加入者ユニット１０２をさらに識別する。好ましくは、ＭＳＣ  １２６は、ＰＤＣＳにＴＩＡ−４１  ＦＡＣＤＩＲ２  ＩＮＶＯＫＥメッセージを伝送することにより、関連の加入者ユニットのハンドオフが必要であることをＰＤＣＳ  １１８に通知する。ＭＳＣ  １２６からのハンドオフ通知の受け取りに応じて、ＰＤＣＳ  １１８は加入者ユニット１０２に、ＰＤＣＳとの従来のセルラ方式からＶｏＩＰ通信セッションへの通話のハンドオフを行なうよう要求する。加入者ユニット１０２は既にパケット交換網１１０上で登録されているため、パケット交換網は適切なルーティングを決定することができ、この時目標ＡＮを決定する必要はない。
【００４７】
次に、好ましくは加入者ユニットにＳＩＰ  ＩＮＶＩＴＥ要求またはＳＩＰ  ＲＥＦＥＲメッセージを伝送することにより、ＰＤＣＳ  １１８は加入者ユニット１０２がハンドオフを行うように要求する７１４。ＳＩＰ  ＩＮＶＩＴＥ要求の受け取りに応じて、加入者ユニット１０２は、エア・インタフェース１１２のＡＮ  １１４と上りリンクおよび下りリンクトラフィックチャネルについてネゴシエートし、ＡＮ  １１４は、周知技術に従って加入者ユニットとＰＤＳＮ  １１６との間に対応するベアラ・パスを確立する。加入者ユニット１０２はさらに、加入者ユニットがＰＤＣＳ  １１８との接続の起動を進めていることを示すメッセージ、好ましくはＳＩＰ  １８０  ＲＩＮＧＩＮＧメッセージを、ＰＤＣＳ  １１８に伝送する７１６。
【００４８】
加入者ユニット１０２がＡＮ  １１４とトラフィックチャネルについてネゴシエートし、ＰＤＳＮ  １１６とのベアラ・パスが確立されると、加入者ユニット１０２はパケット交換網１１０および回線交換網１２０の各々を介して、下りリンクの音声情報をＭＳＣ  １２６へマルチキャスティング７１８，７２２し始める。すなわち、加入者ユニット１０２は、エア・インタフェース１２２の下りリンクトラフィックチャネルを介してＢＳ  １２４へボコードされた情報を含む下りリンクフレームの第１のセットを伝送し続け７２２、音声情報は次にＭＳＣ１２６にルーティングされ、加入者ユニット１０２はさらに、エア・インタフェース１１２で確立された下りリンクトラフィックチャネルを介してＡＮ  １１４へボコードされた情報を含む下りリンクフレームの第２のセットを伝送し、この音声情報もさらにＭＳＣ  １２６にルーティングされる。本発明の１実施形態では、マルチキャストされた下りリンクフレームの同期を保証するために、加入者ユニット１０２は、パケット交換網１１０および回線交換網１２０のうちの１つに送信されたフレームに遅延を加えてもよい。例えば、遅延、ネットワーク間の加入者ユニットの先のハンドオフに基づいて決定されてもよく、ＰＤＣＳ  １１８が遅延値を計算し、その遅延値を加入者ユニットに伝送してもよい。しかしながら、本発明の別の実施形態では、遅延は例えばＭＳＣ  １２６によってネットワークに加えられてもよい。本発明の種々の実施形態では、加入者ユニット１０２は、加入者ユニットの送受信機３０２および３０４の各々に関連する送信機のような各リンクに関連する送信機を使用することによりエア・インタフェース１２２および１１２の下りリンクを介して同時に送信してもよいし（７１８、７２２）、第１のエア・インタフェースの下りリンクすなわちエア・インタフェース１２２の下りリンクおよび第２のエア・インタフェースの下りリンクすなわちエア・インタフェース１１２の下りリンクで、加入者ユニットの送受信機４０２に関連する送信機のような一つの送信機を介して迅速に交互に送信することにより、エア・インタフェース１２２および１１２の下りリンクを介して同時送信（７１８，７２２）をエミュレートしてもよい。交互に送信するパスは、２つのエア・インタフェース上で送信を行う際にボコーダ４０８のような加入者ユニットのボコーダに低減された速度でスピーチをボコードするようにさせるプロセッサ４０４のような加入者ユニットのプロセッサによりさらに増強され得る。例えば、全速のボコーダフレームの代わりにたった１／８レートのボコーダフレームを使用することにより、複数の送信機を使用しなくてもパス間の迅速な切り換えのための時間が利用可能になる。
【００４９】
ＭＳＣ  １２６は、通話のためのアンカーとして、すなわち、ネットワーク１１０および１２０の各々への陸線ネットワーク１３２のためのゲートウェイとして機能し、通話の持続時間中、そして回線交換網１２０からパケット交換網１１０へ通話がハンドオフされた後でさえ、通話のパスに存在する。下りリンクが回線交換網１２０からパケット交換網１１０へ切り替えられる前にマルチキャスティングを提供することにより、「破断と作成（break and make）のハードハンドオフ」から生じる恐れのあるネットワーク１１０および１２０により受け取られる音声トラフィックにおけるギャップが最小限にされる。ＭＳＣ  １２６がパケット交換網１１０および回線交換網１２０の各々を介して音声フレームを受け取ると、ＭＳＣ  １２６はバッファを行い、パケット交換網と回線交換網の各々から１つの音声フレームを選択することにより２つの音声フレームを除去してもよい。
【００５０】
信号フロー図７００のこの時点で、ボコードされた情報のリンクフレームは引き続き加入者ユニット１０２へユニキャストされる、すなわち、ＭＳＣ  １２６はＢＳ  １２４のみを介してボコードされた情報を含む上りリンクフレームを加入者ユニットに伝送し７２４、エア・インタフェース１２２の上りリンクトラフィックチャネルを伝送する。しかしながら、ＰＤＣＳ  １１８はエア・インタフェース１１２の確立された上りリンクトラフィックチャネルを介して、加入者ユニット１０２に無効フレームを伝送し始めてもよい７２０。
【００５１】
さらに、ＡＮ  １１４およびエア・インタフェース１１２を介した加入者ユニット１０２との通信パスの確立に応じて、ＰＤＣＳ  １１８は、ＭＳＣ  １２６にハンドオフ通知を伝送することにより、加入者ユニット１０２のハンドオフが進行していることをＭＳＣ１２６に通知する。好ましくは、ハンドオフ通知はＴＩＡ−４１  ＦＡＣＤＩＲ２  ＲＥＳＰＯＮＳＥメッセージを含む。ＰＤＣＳ  １１８はさらに、加入者ユニットがＰＤＣＳ  １１８との接続を起動し始めていることを示す加入者ユニット１０２から受け取ったメッセージすなわちＳＩＰ  １８０  ＲＩＮＧＩＮＧメッセージに確認応答する７２８。好ましくは、ＰＤＣＳ  １１８は、加入者ユニットにＳＩＰ  ＰＲＡＣＫ（臨時の確認応答）メッセージを伝送することにより、メッセージに確認応答する。ＰＤＣＳ  １１８からの確認応答の受け取りに応じて、加入者ユニット１０２は、ＰＤＣＳにＳＩＰ  ＯＫ（ＲＩＮＧＩＮＧ）メッセージを伝送することにより、上記の確認応答に確認応答する７３０。
【００５２】
ＰＤＣＳ  １１８からのハンドオフ通知の受け取りに応じて、ＭＳＣ  １２６は、加入者ユニット１０２への音声情報の上りリンクユニキャストを回線交換網１２０からパケット交換網１１０へ切り替える。すなわち、ＭＳＣ  １２６は、遠隔パーティ１３４から受け取られる加入者ユニット１０２向けの音声情報を、中間ネットワーク１３０、ＰＤＣＳ  １１８およびＰＤＳＮ  １１６を介してＡＮ  １１４へ伝送し始め７３２、ＡＮはエア・インタフェース１１２で確立された上りリンクトラフィックチャネルを介してボコードされた情報を含む上りリンクフレームを加入者ユニットへ伝送する。一方、ＭＳＣ  １２６は、ＢＳ  １２４およびエア・インタフェース１２２の上りリンクトラフィックチャネルを介して加入者ユニットへ音声情報を伝送するのを停止する。しかしながら、加入者ユニット１０２は、回線交換網１２０およびパケット交換網１１０の各々を介してボコードされた情報の下りリンクフレームをマルチキャストし続ける７３４，７３８。すなわち、加入者ユニット１０２は、ＢＳ  １２４およびエア・インタフェース１２２の下りリンクトラフィックチャネルを介してボコードされた情報を含むフレームの第１のセットをＭＳＣ  １２６へ伝送し続けると共に、ＰＤＣＳ  １１８、ＰＤＳＮ  １１６、ＡＮ  １１４およびエア・インタフェース１１２の下りリンクトラフィックチャネルを介してボコードされた情報を含むフレームの第２のセットをＭＳＣ  １２６へ伝送し続ける。上述したように、加入者ユニット１０２は、送受信機３０２および３０４の各々に関連する送信機等の各リンクに関連する送信機を使用することによりエア・インタフェース１１２および１２２の下りリンクを介して送信を同時に行っても良いし、エア・インタフェース１１２の下りリンクおよびエア・インタフェース１２２の下りリンクに関して送受信機４０２等の一つの送受信機によって送信を迅速に交互にすることによりエア・インタフェース１１２および１２２の下りリンクを介した同時送信をエミュレートしてもよい。この交互送信経路のプロセスは、加入者ユニットのボコーダ４０８等のボコーダに音スピーチをより低速にボコードさせることによりさらに増強され得る。
【００５３】
ＭＳＣ  １２６はさらにＢＳ  １２４にハンドオフを完了するように命令する。すなわち、ＢＳ  １２４に下りリンクフレームを伝送するのを停止するように命令する７４０。命令の受け取りに応じて、次にＢＳ  １２４は、ＢＳへの下りリンクフレームの伝送を停止するよう加入者ユニット１０２に命令する７４２。ＢＳ  １２４からの命令の受け取りに応じて、加入者ユニットは、ＢＳへの下りリンクフレームの伝送を停止し、加入者ユニットをＭＳＣ  １２６およびパケット交換網１１０に対して双方向ユニキャストモードにする。言いかえれば、音声情報は、ＭＳＣ  １２６、ＰＤＣＳ  １１８、ＰＤＳＮ  １１６、ＡＮ  １１４およびエア・インタフェース１１２の上りリンクトラフィックチャネルのみを介して加入者ユニット１０２に伝送され７４４、加入者ユニット１０２は、ＰＤＣＳ  １１８、ＰＤＳＮ  １１６、ＡＮ  １１４およびエア・インタフェース１１２の下りリンクトラフィックチャネルのみを介してＭＳＣ  １２６に音声情報を伝送する７４６。
【００５４】
さらに、エア・インタフェース１２２の下りリンクからエア・インタフェース１１２の下りリンクへの切り換えに応じて、加入者ユニット１０２はＢＳ  １２４にハンドオフが完了したこと、すなわち、加入者ユニットは現在パケット交換網１１０、すなわちＡＮ  １１４およびＰＤＣＳ  １１８との双方向ユニキャストに従事していることを通知する７４８。好ましくは、加入者ユニット１０２はＢＳ  １２４に、ＭＳ  ＡＣＫ  ＯＲＤＥＲ１メッセージを伝送することによりハンドオフが完了したことを通知する。
【００５５】
ハンドオフが完了したという通知に応じて、ＢＳ  １２４はＭＳＣ  １２６にハンドオフが開始したことを通知する７５０。さらに、ＢＳ  １２４への下りリンクフレームの伝送を停止する命令の受け取りに応じて、加入者ユニット１０２はＰＤＣＳ  １１８に、好ましくはＰＤＣＳにＳＩＰ  ２００  ＯＫメッセージを伝送することにより、加入者ユニットによりＰＤＣＳから受け取られたハンドオフ実行要求、すなわちＳＩＰ  ＩＮＶＩＴＥ要求がうまく実行されたことを通知する７５２。  
【００５６】
ハンドオフ実行要求がうまく実行されたという通知に応じて、ＰＤＣＳ  １１８は、好ましくは加入者ユニット１０２にＳＩＰ  ＡＣＫを伝送することにより、実行成功メッセージに確認応答する７５４。ＰＤＣＳ  １１８は、さらにＭＳＣ  １２６に、好ましくは中間ネットワーク１３０を介してＭＳＣ  １２６にＴＩＡ−４１  ＭＳＯＮＣＨメッセージを伝送することにより、加入者ユニットがパケット交換網１１０とのすなわちＡＮ  １１４およびＰＤＣＳ  １１８との双方向ベースで音声フレームをうまく交換していることを通知する７５６。ＰＤＣＳ  １１８から受け取ったメッセージに基づいて、ＭＳＣ  １２６は加入者ユニット１０２がハンドオフを完了していることを判定し、好ましくはＢＳにＣＬＥＡＲ  ＣＯＭＭＡＮＤメッセージを伝送することにより、それをＢＳ  １２４に通知する７５８。加入者ユニット１０２がハンドオフを完了したという通知に応じて、ＢＳ  １２４は加入者ユニットとのレガシー通話すなわち回線交換網での通話を終了する。レガシー通話を終了する際、ＢＳ  １２４は、好ましくはＭＳＣにＣＬＥＡＲ  ＣＯＭＰＬＥＴＥメッセージを伝送することにより、レガシー通話が終了したことをＭＳＣ  １２６に通知する７６０。そして信号フロー図７００は終了する。
【００５７】
要約すると、通信システム１００は、パケット交換網１１０、好ましくはＣＤＭＡ  ２０００  ＩＸＲＴＴネットワーク、ＣＤＭＡ  ２０００  ＩＸＥＶ−ＤＯネットワークまたはＷＬＡＮネットワークと、回線交換網１２０、好ましくはＣＤＭＡ  ＩＸネットワークとの間の音声通話のアクティブ・ハンドオフを、ハンドオフの最中に両ネットワークでの通話をマルチキャストすることにより、提供する。パケット交換網１１０から回線交換網１２０へのアクティブ・ハンドオフは、ハンドオフ中に両ネットワークの上りリンクでの通話をマルチキャストすることにより遂行される。回線交換網１２０からパケット交換網１１０へのアクティブ・ハンドオフは、ハンドオフ中に両ネットワークの下りリンクでの通話をマルチキャストすることにより遂行される。前者のハンドオフは、通話が回線交換網１２０を通じてルーティングされる場合でも通話においてＰＤＣＳ  １１８を維持することによりさらに促進され得る。後者のハンドオフは、通話がパケット交換網１１０を通じてルーティングされる場合でも通話においてＭＳＣ  １２６を維持することによりさらに促進され得る。ネットワーク１１０およびネットワーク１２０の両方でハイブリッド加入者ユニット１０２が同時に動作するために、加入者ユニットは複数の送受信機を含んでいてもよい。しかしながら、本発明の別の実施形態では、加入者ユニット１０２は、同時動作の外観を与えるために、ネットワーク１１０と１２０の間で迅速に切り替えられる一つの送受信機を含んでもよい。さらに、ネットワークの間で切り替わる場合、加入者ユニット１０２の一つの送受信機のボコーダ４０８は、音声品質を大きく低下させずに迅速な切り換え時間を可能にする低下された速度を使用するようにプロセッサにより命令され得る。
【００５８】
本発明を特定の実施形態に関して説明したが、当業者には、請求項に述べる本発明の範囲から逸脱することなく、様々な改変および変更を行なえることが理解される。従って、さらに、当業者には本明細書で詳述した送信通信装置および受信通信装置のコンポーネントおよび動作はオペレーションが網羅的であることを意図するものではなく、本発明を限定するのではなく発明の原理と効果の理解と認識を高めるために提供されているにすぎないことが理解される。従って、従って、明細書と図面は限定的な意味ではなく例証的な意味とみなすべきであり、すべての変更および置換はすべて本発明の範囲内に包含される。
【００５９】
利点、他の効果、および課題に対する解決策を、特定の実施形態に関して上に説明した。しかし、その利点、効果、課題の解決策、およびあらゆる利点、効果、または解決策を生じさせるか、またはより顕著にする任意の１つまたは２つ以上の要素は、請求項のいずれかまたはすべての重要な、必要な、または不可欠な特徴または要素として解釈されるべきでない。本明細書で使用する場合、用語「有する（ｃｏｍｐｒｉｓｅ）」、「有している（ｃｏｍｐｒｉｓｉｎｇ）」、またはその用語のあらゆる他の変形は、構成要素について明細書に記載されたプロセス、方法、物品、または装置が、それらの構成要素のみを包含しているものではなく、明細書に明示的に挙げられていない、またはこのようなプロセス、方法、物、または装置に本来備わっている、他の構成要素を含むように、非排他的な包括物をも権利範囲として包含するものとする。さらに、第１および第２、上および下、などの関係を表す用語の使用は、ある実体または動作を別の実体または動作と区別するだけのために使用され、実体または動作の間に実際にそのような関係または順序があることを必ずしも必要としないことを理解されたい。
【図面の簡単な説明】
【００６０】
【図１】本発明の１実施形態による無線通信システムのブロック図。
【図２】本発明の１実施形態による図１のパケットデータ制御スイッチのブロック図。
【図３】本発明の１実施形態による図１の加入者ユニットのブロック図。
【図４】本発明の別の実施形態による図１の加入者ユニットのブロック図。
【図５】本発明の１実施形態による図１のパケットベースのネットワークから図１の回線交換網への音声通話のハンドオフを例証する信号フロー図。
【図６】本発明の１実施形態により修正された例証的なＳＩＰ  ＲＥＦＥＲメッセージの図。
【図７】本発明の別の実施形態による図１の回線交換網から図１のパケットベースのネットワークへの音声通話のハンドオフを例証する信号フロー図。
【図１】
2008521296.tif 000003
【図２】
2008521296.tif 000004
【図３】
2008521296.tif 000005
【図４】
2008521296.tif 000006
【図５】
2008521296.tif 000007
【図６】
2008521296.tif 000008
【図７】
2008521296.tif 000009
【国際調査報告】
2008521296.tif 000010
2008521296.tif 000011